(57)【要約】【課題】従来ビス締めの為の腕部があるため実装が困難であった撮影光軸方向下側にも実装部品および基板を配置し、カメラ横方向の幅の小型化と実装スペースの確保すること。【解決手段】電源となる電池を収納する空間の少なくとも一部を形成するするとともに、カメラを把持するめのグリップを構成するグリップ部品のカメラ本体部品への取り付け構造において、前記グリップ部品の撮影光軸方向に延びた張出部である指掛かり部に、カメラの正面側から撮影光軸と同方向に貫通穴を設け、該貫通孔を通して、前記グリップ部品をカメラ本体部品にビス止めしたこと。【選択図】　　　　図１
2004077980.tif 000002
【特許請求の範囲】
【請求項１】
電源となる電池を収納する空間の少なくとも一部を形成するするとともに、カメラを把持するめのグリップを構成するグリップ部品のカメラ本体部品への取り付け構造において、前記グリップ部品の撮影光軸方向に延びた張出部である指掛かり部に、カメラの正面側から撮影光軸と同方向に貫通穴を設け、該貫通孔を通して、前記グリップ部品をカメラ本体部品にビス止めしたことたことを特徴とするカメラのグリップ部品取り付け構造。
【請求項２】
請求項１記載のカメラのグリップ部品取り付け構造において、前記グリップ部品に開いた貫通穴を覆うように別体の外観パネルを張り付けた構成としたことを特徴とするカメラ。
【請求項３】
請求項１記載のカメラのグリップ部品取り付け構造において、前記撮影光軸方向の出っ張り部である指掛かり部の光軸方向奥側で、かつ前記本体へのビス止め部近傍まで回路実装基板を配置したことを特徴とするカメラのグリップ部品取り付け構造。
【発明の詳細な説明】
【０００１】
【発明の属する技術分野】
本発明はカメラの外観部品、特にグリップ部の本体部品への取り付け構造に関する。
【０００２】
【従来の技術】
従来、一眼レフカメラにおいては本体とグリップ部が別部品で構成されているのが一般的である。この際、グリップを本体にビス止めするためには、特開平０７−０４３８０７号公報に記載されているように、レンズ側（カメラの撮影光軸と直行する方向）に突出した腕部によりカメラの正面方向からビス締めしていた。
【０００３】
【発明が解決しようとする課題】
しかしながら上記従来例では、グリップ部品の本体部品への取り付けのための腕部を、レンズ側に突出させているため、カメラ正面側からビス締めをしようとすると、腕部の下に位置した電気回路基板に穴を開けるか、または、腕部を避けた位置にしか基板を配置できないようなっていた。近年、カメラの小型化に対する要求が高まり、幅方向、特にグリップ側を更に小型化したい場合、前記グリップの腕部が邪魔になり実装のための場所を確保するのが難しくなっていた。
【０００４】
本発明は、従来ビス締めの為の腕部があるため実装が困難であった撮影光軸方向下側にも実装部品および基板を配置し、カメラ横方向の幅の小型化と実装スペースの確保することを目的とする。
【０００５】
【課題を解決するための手段】
上記課題を解決するために、本発明では、電源となる電池を収納する空間の少なくとも一部を形成するするとともに、カメラを把持するめのグリップを構成するグリップ部品のカメラ本体部品への取り付け構造において、前記グリップ部品の撮影光軸方向に延びた張出部である指掛かり部に、カメラの正面側から撮影光軸と同方向に貫通穴を設け、該貫通孔を通して、前記グリップ部品をカメラ本体部品にビス止めしたことたことにある。
【０００６】
また、前記グリップ部品に開いた貫通穴を覆うように別体の外観パネルを張り付けた構成としたことにある。
【０００７】
また、前記撮影光軸方向の出っ張り部である指掛かり部の光軸方向奥側で、かつ前記本体へのビス止め部近傍まで回路実装基板を配置したことにある。
【０００８】
【発明の実施の形態】
図１は本発明の特徴を最もよく表す図でありグリップ周りの構成部品の分解斜視図であり、図２は該図１の構成部品の組み付けた状態の横断面図である。図３は外観パネルを取り付ける前の状態の正面図である。図４はカメラの外観構成部品を全て取り付けた状態の正面図である。同図において同じ番号を付記したものは、同じ部材を表す。
【０００９】
１はカメラを保持するための把持部を構成するグリップ部品。１ａは該クリップにカメラ正面側から開いた貫通穴。２は不図示のリモコン送信機からの赤外光を受光してカメラにレリーズ信号を伝達するための受光窓。３は不図示の２段階スイッチであるレリーズスイッチを押すためのレリーズ釦。４および１０はビス。８はカメラの部品を取り付けるための主構造部材であるカメラ本体部品。８ａは該本体に形成された、フィルムを巻き取る不図示のスプールと巻き取ったフィルムを収納可能なスプール室である。
【００１０】
９は不図示のカメラの中央処理装置および電気素子群９ａを搭載し、各ユニットとの電気信号をやり取りする回路実装基板。６は前記グリップ１を前記本体８にビス止め固定するための補助部材であるグリップアンカー。７は前記貫通穴１ａ、および前記ビス４を隠し外観を構成する外観パネル。１１はカメラに電力を供給するための電源である電池であり、不図示の電池蓋を開閉し、カメラの下方より装填可能に構成されている。１２はメインコンデンサであり、前記メイン基板９に電気的に接続されている。
【００１１】
２１は正面側を覆う外観部品であるところのエプロン、２２はストロボ光を照射する発光部２５を備えたストロボ発光部を覆う上部外観部品であるところのストロボカバーである。２３は不図示の撮影用レンズを着脱可能に取り付けるための土台となるレンズマウント、２４はカメラの底面を構成する外観部品であるところの底蓋であり、本実施例では正面側にもせり出しており、前記エプロン２１と接するように構成されている。２６はカメラの上面部を構成する外観部品であるところの上蓋である。
【００１２】
前記１、４、６、７、１０でグリップユニット、ストロボ発光部２５とストロボカバー２２とでストロボユニット、該ストロボユニットと上蓋２６とで上蓋ユニットを構成している。前記ストロボユニットは、発光状態（不図示）と非発光状態（図４）とで回動自在に構成されている。
【００１３】
上記構成において、組み立ての順番としては、底蓋２４、前記上蓋ユニット、前記グリップユニット、エプロン２１の順番で組み付ける。エプロン２１を最後に組み付ける理由は、カメラの組み立ての最終工程で、動作チェックを行うための不図示の信号検出部がカメラ全面に配置されているため、エプロン２１をはずした状態で検査工具を該不図示の信号検出部に電気的に当接させ動作チェックを行うためである。また、前記グリップ１とエプロン２１とを一体に形成しないのは、レリーズ釦３周辺がカメラの上方向に前記上蓋２６より突出しているため、部品作成のための型構造が複雑になるため、製造コストが上昇してしまうのを防止するためである。従って、カメラのデザイン上レリーズ釦３周辺が上蓋２６より突出していないデザインにすれば、型構造も単純になり一体で構成することが可能となるため、本発明の実施態様に変更はない。
【００１４】
前記カメラ本体８に実装基板９を配置しておき、グリップアンカー６をグリップ１にビス１０で固着し、一体のグリップユニット構成とする。そして該グリップユニットを前記本体部品８に貫通孔を通してビス４で固定する。その後外観パネル７を不図示の両面テープ等で前記グリップ１に固定する。
【００１５】
図２において、回路実装基板９はグリップ１の光軸方向の立ち上がり部まで入り込んでおり、その分従来例よりも実装面積を広く取れるような構成になっている。
【００１６】
本実施例ではグリップ１とグリップアンカー６とは別体で構成されているが、ビス止め部を一体に成形しても、本発明の実施態様に変更はない。
【００１７】
上記実施例の構成とすることにより、外観部品であるグリップを本体部品にビス止めするのに実装基板９を小型化する必要なしに、ビス止めすることができる。かつ、後から外観パネル７を取り付けるため、ビスやビス止めのための穴を使用者から見えなくするため、正面から見て美しく見えるカメラを実現することができる。
【００１８】
【発明の効果】
以上説明したように、本発明では、グリップユニットを本体にビス止めするのに、その下に実装基板を配置する面積に影響を与えることなく行えるため、カメラの幅方向を小型化することができる。
【００１９】
また、ビスを隠す部材を別部材で構成できるため、デザイン上グリップと色や表面処理等を変えることができ、アクセントが増すという効果もある。
【００２０】
更に、メイン基板を避けた位置にビス締め部があるため、グリップ取り付け時にメイン基板の回路を破損する心配が無く、工場での部品信頼性が増し、強いてはコストダウンが図れると言う効果もある。
【図面の簡単な説明】
【図１】本発明の実施例に係るグリップおよびグリップ取り付け補助部材等の分解斜視図
【図２】本発明の実施例に係るグリップおよびグリップ取り付け補助部材等の横断面図
【図３】本発明の実施例に係るグリップおよびグリップ取り付け補助部材等の正面図
【図４】本発明の実施例に係るカメラの外観正面図
【符号の説明】
１　グリップ
２　リモコン窓
３　レリーズ釦
４、１０　ビス
６　グリップアンカー
７　外観パネル
８　本体
９　実装基板
１１　電池
１２　メインコンデンサ
２１　エプロン
２２　ストロボカバー
２３　レンズマウント
２４　底蓋
【図１】
2004077980.tif 000003
【図２】
2004077980.tif 000004
【図３】
2004077980.tif 000005
【図４】
2004077980.tif 000006